(57)【特許請求の範囲】
【請求項１】
フットペダルの操作によってシンバル作動ロッドが固定フレームに対し上下動可能に設けられたハイハットスタンドにおいて、
前記フットペダルとシンバル作動ロッドとの間に、第１ないし第３のリンクからなるトグルジョイント機構を備え、このトグルジョイント機構は、前記シンバル作動ロッドと固定フレームとを、相対回転可能に連結され且つ初期位置において第１のリンクと第２のリンクとの接続部位、第１のリンクとシンバル作動ロッドとの接続部位、及び第２のリンクと固定フレームとの接続部位が略同一直線上に位置する前記第１及び第２のリンクで接続するとともに、これら第１及び第２のリンクの接続部位と前記フットペダルとを前記第３のリンクで接続することによって構成されることを特徴とするハイハットスタンド。
【発明の詳細な説明】
【０００１】
【発明の属する技術分野】
本発明はハイハットスタンドに係り、更に詳しくは、フットペダルの踏み始め領域における操作性を向上させることができるハイハットスタンドに関する。
【０００２】
【従来の技術】
従来より、フットペダルの踏み込みによって、シンバルを作動可能とするハイハットスタンドが知られている（例えば、特開平２−５８０９９号公報参照）。このハイハットスタンドは、図６に示されるように、本体パイプ５１と、この本体パイプ５１を支持する脚部材５２と、本体パイプ５１の内部に挿入され、当該本体パイプ５１に相対して上下動可能に設けられたエクステンションロッド５３と、このエクステンションロッド５３の下端に接続部材５４を介して回動可能に取り付けられたレバー部材５５と、このレバー部材５５に接続部材５６を介して取り付けられたフットペダル５８とを備えて構成されている。本体パイプ５１の上端側には、固定シンバルＳ１が配置され、当該固定シンバルＳ１の上方には、エクステンションロッド５３の上端側に固定された可動シンバルＳ２が配置されるようになっている。以上の構成により、フットペダル５８を踏み込むと、エクステンションロッド５３が下降し、可動シンバルＳ２が固定シンバルＳ１に接触することでシンバル音が発生する。ここで、前記レバー部材５５は、その一端側５５Ａが固定フレーム６５に回動可能にヒンジ連結される一方、他端側５５Ｂが前記接続部材５６に回動可能にヒンジ連結され、これら固定フレーム６５及び接続部材５６の各接続部位間に、前記接続部材５４が回動可能にヒンジ連結されている。このため、所定の踏込力でフットペダル５８を踏み込むと、レバー部材５５と固定フレーム６５との接続部位を支点とする梃子の原理により、その踏込力よりも大きな力でエクステンションロッド５３を下降させることが可能となる。
【０００３】
ところで、フットペダル５８の踏み込みを中止したときに、前記各シンバルＳ１，Ｓ２を相互に離間した状態とさせるため、本体パイプ５１とエクステンションロッド５３との間にエクステンションロッド５３を上向きに付勢するコイルばね６７が設けられている。これにより、エクステンションロッド５３を下降させて、可動シンバルＳ２を固定シンバルＳ１に接触させるには、エクステンションロッド５３をコイルばね６７の付勢力よりも大きな力で下向きに引かなければならず、この際に、フットペダル５８に付与する踏込力は、前記レバー部材５５の作用によって、コイルばね６７の付勢力よりも相対的に軽い力で済むこととなる。
【０００４】
【発明が解決しようとする課題】
しかしながら、前記ハイハットスタンドにあっては、エクステンションロッド５３を下降させる際には、前記レバー部材５５の作用によって、コイルばね６７の付勢力よりも小さくて済むものの、所定の大きさの踏込力を初期値としてフットペダル５８に付与しなければならず、ペダル操作をスムースに行うことができないという不都合がある。すなわち、シンバルを作動させようとする際に、前記初期値よりも小さい踏込力でフットペダル５８を踏み込んだ場合には、当該フットペダル５８は動かず、それが一旦動き始めれば、踏込力の大きさに比例してエクステンションロッド５３が下降する。このため、フットペダル５８の踏み始めにおいては、ある踏込力の大きさになるまでは、エクステンションロッド５３が変位を始めず、演奏者の踏込み感覚と可動シンバルＳ２の作動との間にズレを招来し、操作性すなわちレスポンスが良好とは必ずしも言えない。また、フットペダル５８を踏む際に必要な踏込力は、コイルばね６７の付勢力に比例するため、コイルばね６７のばね定数を大きくして付勢力を全体的に大きくすると、前記踏込力の初期値はより大きくなり、操作性が一層悪化する。
【０００５】
【発明の目的】
本発明は、このような不都合に着目して案出されたものであり、その主たる目的は、フットペダルの踏み始め領域において必要となる踏込力の軽減を図るとともに、ペダル操作をスムースに行うことができるハイハットスタンドを提供することにある。
【０００６】
また、本発明の他の目的は、シンバル作動ロッドの付勢力を増大しても、フットペダルの踏み始め時点における踏込力の初期値を一定にすることができるハイハットスタンドを提供することにある。
【０００７】
【課題を解決するための手段】
前記目的を達成するため、本発明は、フットペダルの操作によってシンバル作動ロッドが固定フレームに対し上下動可能に設けられたハイハットスタンドにおいて、
前記フットペダルとシンバル作動ロッドとの間に、第１ないし第３のリンクからなるトグルジョイント機構を備え、このトグルジョイント機構は、前記シンバル作動ロッドと固定フレームとを、相対回転可能に連結され且つ初期位置において第１のリンクと第２のリンクとの接続部位、第１のリンクとシンバル作動ロッドとの接続部位、及び第２のリンクと固定フレームとの接続部位が略同一直線上に位置する前記第１及び第２のリンクで接続するとともに、これら第１及び第２のリンクの接続部位と前記フットペダルとを前記第３のリンクで接続する、という構成を採っている。このような構成によれば、フットペダルの踏み始め領域において必要な踏込力の軽減を図ることができ、フットペダルの踏み込みを楽に行うことができる。また、その踏込力の初期値を０にすることができ、当該踏込力を０から徐々に増大させると、それに追従してシンバル作動ロッドを徐々に変位させることができ、ペダル操作を常時スムースに行うことが可能となる。更に、シンバル作動ロッドの付勢力を増大させても、フットペダルの踏み始め時点での踏込力の初期値を０にすることができ、シンバル作動ロッドの付勢力の大きさに拘らず、前記初期値を一定に保持することができる。
【０００８】
【発明の実施の形態】
以下、本発明の実施例を図面を参照しながら説明する。
【０００９】
図１には、実施例に係るハイハットスタンドを一組のシンバルとともに示した概念図が示されている。この図において、ハイハットスタンド１０は、固定シンバルＳ１を支持可能な本体パイプ１２と、この本体パイプ１２を起立状態で支持する脚部材１３と、本体パイプ１２の内部に挿入されて、当該本体パイプ１２に対し上下動可能に設けられたシンバル作動ロッドとしてのエクステンションロッド１５と、このエクステンションロッド１５の下側に設置される固定フレーム１６及びフットペダル１８と、これらエクステンションロッド１５、固定フレーム１６及びフットペダル１８を接続するトグルジョイント機構２０とを備えて構成されている。
【００１０】
前記本体パイプ１２の下端側にはコイルばね２２が設けられており、このコイルバネ２２は、その一端側が本体パイプ１２に固定されている一方、他端側がエクステンションロッド１５に固定されている。このため、エクステンションロッド１５が下降すると、当該エクステンションロッド１５は、コイルばね２２によって上昇方向に付勢される。また、本体パイプ１２の上端側には固定シンバルＳ１が配置され、当該固定シンバルＳ１の上方には、エクステンションロッド１５の上端側に固定された可動シンバルＳ２が配置されるようになっている。これにより、エクステンションロッド１５が本体パイプ１２に相対して上下動すると、可動シンバルＳ２が固定シンバルＳ１に離間接近可能となる。
【００１１】
前記固定フレーム１６は、特に限定されるものではないが、一対の側部材１６Ａと、それらの上端側に掛け渡される上部材１６Ｂとを含む門型形状に設けられており、床面等の所定の設置面ＦＬ上に設置される。また、前記フットペダル１８は、演奏者が踏み込み可能な大きさに設けられた板状のフットボード２４と、このフットボード２４の延出方向一端側２４Ａにヒンジ連結されるとともに、前記設置面ＦＬに設置される設置ボード２５とによって構成されている。これにより、フットボード２４は、設置ボード２５に対して回動可能となり、演奏者がフットボード２４をその上面側から踏み込むと、当該フットボード２４は、設置面ＦＬの方向に回動することとなる。
【００１２】
前記トグルジョイント機構２０は、第１ないし第３のリンクとしての第１ないし第３のアーム部材２７〜２９を適宜連結することによって構成される。すなわち、第１のアーム部材２７は、その一端側２７Ａが前記エクステンションロッド１５の下端側に回動可能にヒンジ連結されるとともに、他端側２７Ｂが第２のアーム部材２８の一端側２８Ａに回動可能にヒンジ連結される。また、第２のアーム部材２８の他端側２８Ｂは、固定フレーム１６における側部材１６Ａに回動可能にヒンジ連結される。更に、第３のアーム部材２９は、その一端側２９Ａが、第１及び第２のアーム部材２７，２８との接続部位Ｃ１に回動可能にヒンジ連結されるとともに、他端側２９Ｂが前記フットボード２４の他端側２４Ｂに回動可能にヒンジ連結される。ここで、フットボード２４の踏み込みがされていない図１の初期位置においては、エクステンションロッド１５と第１のアーム部材２７との接続部位Ｃ２の下方略鉛直線上に、第３のアーム部材２９とフットボード２４との接続部位Ｃ４が位置するようになっている。また、前記初期位置においては、前記第１及び第２のアーム部材２７，２８が略同一直線上に位置するとともに、これら第１及び第２のアーム部材２７，２８は、第３のアーム部材２９と略直交するようになっている。更に、前記初期状態にあっては、側部材１６Ａと第２のアーム部材２８との接続部位Ｃ３の設置面ＦＬからの高さは、前記接続部位Ｃ１における高さよりも若干低くなっている。なお、エクステンションロッド１５と固定フレーム１６とが、相対回転可能となる第１及び第２のアーム部材２７，２８で接続され、且つ、前記接続部位Ｃ１とフットボード２４とが、第３のアーム部材２９で接続される限りにおいては、各アーム部材２７〜２９の長さは特に限定されず、また、接続部位Ｃ１〜Ｃ３については前述の位置関係に限定されるものではない。
【００１３】
以上のように構成したトグルジョイント機構２０により、図１に示される初期位置から、演奏者がフットボード２４を踏み込むと、図２に示されるように、第１のアーム部材２７がエクステンションロッド１５に対して同図中反時計方向に回動するとともに、第２及び第３のアーム部材２８，２９がそれぞれ固定フレーム１６、フットボード２４に対して同図中時計方向に回動し、エクステンションロッド１５が徐々に下降する。そして、フットボード２４を更に踏み続けると、第１ないし第３のアーム部材２７〜２９は、図３に示される状態となる。なお、演奏者がフットボード２４の踏み込みを中止すると、コイルばね２２による付勢によって、エクステンションロッド１５が上昇し、前述した動作と逆方向に第１ないし第３のアーム部材２７〜２９が回動して、フットボード２４は図１の初期位置に復帰する。
【００１４】
以上の構成において、図４に示されるように、第１のアーム部材２７の延長線Ｌ１と接続部位Ｃ３との最短距離を距離Ａとし、接続部位Ｃ２及びＣ３を結ぶ直線Ｌ２に直交するとともに接続部位Ｃ１を通るとともに垂線Ｌ３と接続部位Ｃ３との最短距離を距離Ｂとし、前記垂線Ｌ３に対して第３のアーム２９がなす最小角度を角度βとすると、フットボード２４の踏込力Ｆは、エクステンションロッド１５を引く力Ｐに対して次のように表わされる。
Ｆ＝ＫＰ、Ｋ＝Ａ／（Ｂｃｏｓβ）
この式によれば、フットボード２４が図１に示される初期位置にある場合においては、第１及び第２のアーム部材２７，２８が同一直線上にあることから距離Ａは０となるとともに、第１及び第２のアーム部材２７，２８と第３のアーム部材２９とが直交することから角度βも０となり、踏込力Ｆは０となる。ここで、エクステンションロッド１５の下降量（変位ｘ）に対するフットボード２４の踏込力Ｆの関係は、図５の実線に示される関係となる。すなわち、フットボード２４の踏み始め領域において、踏込力Ｆは、その初期値を０として、変位ｘの増大とともに曲線状に増大していく。そして、図３に示される状態となった後は、踏込力Ｆは、変位ｘの増大とともに直線状に増大する。
【００１５】
従って、このような実施例によれば、フットボード２４を踏み始める時点での踏込力Ｆの初期値を０にすることができ、図５の破線に示した従来例とは異なり、所定の大きさ（初期荷重）の踏込力Ｆでフットボード２４を踏み込まなければそれが動かないということはなく、フットボード２４の踏み始め時点での踏込力Ｆは殆ど不要となる。また、フットボード２４の踏み始め領域において、所定量の変位ｘを得るために必要となる踏込力Ｆは、従来例に対して小さくなるともに、踏込力Ｆは、その初期値を０として、変位ｘの増大に伴って増大するため、フットボード２４が初期位置にあるときに、踏込力Ｆを０から徐々に増大すると、それに追従してエクステンションロッドの変位ｘを徐々に増大させることができ、フットペダル１８のレスポンスを大幅に向上させることができる。ここで、仮に、全体的に付勢力が大きくなる別種のコイルばね２２を用いた場合であっても、フットボード２４の踏み始め時点においては、前記距離Ａは０のまま変わらないため、その際の踏込力Ｆの初期値も０となり、コイルばね２２の付勢力に拘らず、フットボード２４の踏み始め時点の踏込力Ｆの初期値を常に０にすることができる。
【００１６】
【発明の効果】
以上説明したように本発明を構成したから、フットペダルの踏み始め領域において必要な踏込力の軽減を図ることができるとともに、フットペダルの踏み始め時点での踏込力の初期値を０にすることができ、当該踏込力を０から徐々に増大させると、それに追従してシンバル作動ロッドを徐々に変位させることができ、ペダル操作を常時スムースに行うことができる。
【図面の簡単な説明】
【図１】本実施例に係るハイハットスタンドの概念図。
【図２】フットボードを踏み始めた直後におけるトグルジョイント機構の作用を説明する要部拡大図。
【図３】図２よりも更にフットペダルを踏んだときにおけるトグルジョイント機構の作用を説明する要部拡大図。
【図４】距離Ａ，Ｂ並びに角度βを定義するための模式図。
【図５】本実施例の効果を従来例と比較して示す図。
【図６】従来例を示すハイハットスタンドの概念図。
【符号の説明】
１０・・・ハイハットスタンド、１５・・・エクステンションロッド（シンバル作動ロッド）、１６・・・固定フレーム、１８・・・フットペダル、２０・・・トグルジョイント機構、２７・・・第１のアーム部材（第１のリンク）、２８・・・第２のアーム部材（第２のリンク）、２９・・・第３のアーム部材（第３のリンク）
【図１】
0003541733.tif 000002
【図２】
0003541733.tif 000003
【図３】
0003541733.tif 000004
【図４】
0003541733.tif 000005
【図５】
0003541733.tif 000006
【図６】
0003541733.tif 000007